(57)【要約】【課題】周辺照度に応じて表示部の視認性の改善を図りつつ、同時に焼付きを目立ちにくくすることができる携帯端末を提供する。【解決手段】（Ａ）の文字表示が固定される３ａのソフトキー表示状態などにおいて、ソフトキー表示３ａ部分の文字を、周辺照度が暗いときには、（Ｂ）のゴシック体の太字のように、文字の線が比較的太い太字の書体を選択して表示し、周辺照度が明るいときには、（Ｃ）のゴシック体の普通の線の太さの書体を選択して表示する。【選択図】図２
2009271430.tif 000002
【特許請求の範囲】
【請求項１】
文字を表示する表示手段と、
携帯端末の周囲の照度を検出する照度センサと、
前記照度が所定値より暗い場合には前記文字の線の太さが太い太字を選択して前記表示手段に表示させる制御手段と
を具備することを特徴とする携帯端末。
【請求項２】
前記制御手段は、
前記照度が所定値より暗い場合には、前記文字の発光輝度を下げると共に前記文字の線の太さが太い太字を選択して前記表示手段に表示させる
ことを特徴とする請求項１に記載の携帯端末。
【請求項３】
前記制御手段は、
前記照度が所定値より暗い場合には、前記文字の発光輝度を下げると共に前記文字の線の太さが太い太字を選択して前記表示手段に表示させ、一方、前記照度が所定値より明るい場合には、前記文字の発光輝度を上げると共に前記文字のエッジを滑らかにする処理を行って前記表示手段に表示させる
ことを特徴とする請求項１に記載の携帯端末。
【請求項４】
前記制御手段は、
前記表示手段の特定位置に文字表示が固定される表示モードにおける該文字に対して、前記処理を行う
ことを特徴とする請求項１に記載の携帯端末。
【発明の詳細な説明】
【技術分野】
【０００１】
本発明は、有機ＥＬディスプレイなどの表示部を備えた携帯端末に関し、特に、周辺照度に応じて表示部の見易さの改善と、焼付き現象の改善に関するものである。
【背景技術】
【０００２】
有機ＥＬディスプレイは、薄型にできることや画質の良さから、携帯電話機等の携帯端末で使われるようになってきた。しかし、有機ＥＬディスプレイは、自発光型の発光素子であり、屋外などの照度の高い環境では、有機ＥＬディスプレイの輝度が周囲光に負けてしまい視認しにくくなる。この問題に対応した以下の特許文献がある。  
有機ＥＬディスプレイを備える携帯機器がある（例えば、特許文献１参照。）。この携帯機器では、周辺照度を検出して、高い照度の場合には、有機ＥＬディスプレイの表示輝度を上昇させて視認性をよくすると共に、背景色を黒色に変換して消費電力を抑えている。
【０００３】
また、有機ＥＬディスプレイは、液晶表示装置に比べて比較的寿命が短く、画面上の定位置に常時表示されるソフトキー表示箇所やアイコン表示箇所などの特定箇所の劣化が先に進んで輝度が低下し、その箇所が焼付き現象や輝度ムラとして表れる。この焼付き現象や輝度ムラを抑制する以下の特許文献がある。  
有機ＥＬ素子を備える表示装置がある（例えば、特許文献２参照。）。この特許文献２の実施の形態４（段落０１２９〜０１３４）では、所定の期間毎に、文字の全体大きさや斜体などの書体を切替えることにより、焼付きを抑えている。  
表示画面の焼付防止装置がある（例えば、特許文献３参照。）。この装置では、文字などの画像の輪郭を不鮮明にしてぼかした画像を表示することにより、焼付きが起こりにくくしている。
【特許文献１】特開２００４−２９４７７５号公報（頁１、図４〜図７）
【特許文献２】特開２００７−７２４５５号公報（段落０１２９〜０１３４、図９、図１０、図２３〜図２５）
【特許文献３】特開２００４−３０９７５０号公報（段落００１６、図３）
【発明の開示】
【発明が解決しようとする課題】
【０００４】
特許文献１の携帯機器では、周辺照度により表示輝度を制御して視認性をよくしたときの焼付きに関する記載はない。特許文献２および３の装置では、焼付きについての記載はあるが、周辺照度による視認性や見易さについての記載はない。  
本発明は、周辺照度に応じて表示部の視認性の改善を図りつつ、同時に焼付きを目立ちにくくすることができる携帯端末を提供することを目標とする。
【課題を解決するための手段】
【０００５】
上記目的を達成するために、本発明の携帯端末は、文字を表示する表示手段と、携帯端末の周囲の照度を検出する照度センサと、前記照度が所定値より暗い場合には前記文字の線の太さが太い太字を選択して前記表示手段に表示させる制御手段とを具備することを特徴とする。
【発明の効果】
【０００６】
本発明によれば、周辺照度に応じて表示部の視認性の改善を図りつつ、同時に焼付きを目立ちにくくすることができる。
【発明を実施するための最良の形態】
【０００７】
図１は、本発明の実施例に係る携帯端末のブロック図である。携帯端末１００は、アンテナ１、無線通信部２、表示部３、表示制御部４、照度センサ５、キー操作部６、制御部２０などから構成される。さらに、制御部２０は、文字データ格納部２１を有し、文字エッジ円滑化機能２２、文字選択機能２３などの機能を実行する。
【０００８】
アンテナ１は、携帯電話網用のアンテナである。無線通信部２は、無線信号に関する周波数変換、変調復調などを行う。表示部３は、有機ＥＬディスプレイである。表示制御部４は、表示部３用のディスプレイコントローラであり、表示部３の形態に合わせて、表示データを制御して、表示部３へ送出する。
【０００９】
照度センサ５は、周辺光を受けて、照度センサ５の取付け面の明るさが何ルクスであるか、すなわち周辺照度を検出する。照度センサ５は、表示部３の近傍に配置されており、表示部３の周辺照度は、照度センサ５が検出した周辺照度とほぼ同じである。キー操作部６は、ユーザ操作用のキーである。
【００１０】
制御部２０は、図示しないＣＰＵ、ＲＡＭ、ＲＯＭなどから構成され、ＲＯＭに記憶されているプログラムを実行することで各種機能を実現する。  
この内、文字データ格納部２１は、文字の各書体のパターンデータを記憶している。例えば、図２に示すような、（Ｂ）ゴシック体の太字、（Ｃ）ゴシック体の普通の線の太さ、（Ｄ）明朝体の太字、（Ｅ）明朝体の普通の線の太さなどのデータを記憶する。
【００１１】
文字エッジ円滑化機能２２は、文字データ格納部２１のパターンデータを入力として、文字のエッジを滑らかにする処理を行う。例えば、特開２００５−１５７００９号公報に記載されている積分処理などを行うものであり、詳細説明は省略する。なお、文字のエッジを滑らかにした書体を最初から、文字データ格納部２１に備えてもよく、その場合は、文字エッジ円滑化機能２２は不要である。
【００１２】
文字選択機能２３は、照度センサ５が検出した周辺照度に基づいて、文字データ格納部２１に格納されている文字の各種書体を選択したり、文字エッジ円滑化機能２２からのエッジ円滑文字を選択したりする。
【００１３】
図２は、本発明の実施例に係る携帯端末の表示部の画面表示を説明する図である。（Ａ）は、文字表示が特定位置に固定される表示モードの例として、ソフトキー表示状態を示す。表示部３の画面の下部は、ソフトキー表示３ａとして、その表示内容が切り替わる。この例では、「戻る」「選択」「ガイド」の３種類があり、それぞれが、キー操作部６の図示しない複数のキーと対応している。
【００１４】
（Ｂ）（Ｃ）（Ｄ）（Ｅ）は、ソフトキー表示３ａの「戻る」の部分について、その文字書体を変更した例であり、（Ｂ）ゴシック体の太字、（Ｃ）ゴシック体の普通の線の太さ、（Ｄ）明朝体の太字、（Ｅ）明朝体の普通の線の太さにより、表示した例を示す。
【００１５】
次に、制御部２０の詳細動作について説明する。  
図３は、本発明の実施例に係る携帯端末の制御部の表示文字制御の動作フローチャートであり、文字エッジ円滑化機能２２や文字選択機能２３の処理をまとめて記載する。  
制御部２０は、ソフトキー表示やアイコン表示などの文字表示が特定位置に固定される表示モード、例えば、図２（Ａ）に示すソフトキー表示などになると、表示文字制御（ステップＳ１）に入る。まず、照度センサ５が検出している周辺照度と所定値とを比較する（ステップＳ２）。
【００１６】
そこで、周辺照度の方が小さい場合には、周辺が暗いと認識して、表示文字として線の太い太字の書体（図３（Ｂ））を選択する（ステップＳ３）。周辺が暗いと、人間の目には視認性が悪くなるが、線が太い太字で表示することにより視認性の低下を防ぐことができる。
【００１７】
さらに、表示部３の表示画像の輝度を下げる(ステップＳ４)。これは、周辺が暗い環境では、表示部３の輝度を下げても周辺光の照度にに負けることがなく、表示内容の視認性が低下することがないからである。  
なお、周辺が暗いと認識した場合、ステップＳ３とＳ４の両方の処理を行ったが、ステップＳ３の太字書体選択のみでもよい。
【００１８】
ステップＳ２において周辺照度が所定値より大きい場合には、周辺が明るいと認識して、表示文字として通常の線の太さの書体（図３（Ｃ））を選択する（ステップＳ５）。
【００１９】
次いで、表示文字のエッジを滑らかにする処理を行い（ステップＳ６）、さらに、周辺光の照度に負けない（周辺光の照度と表示部３の輝度の差が小さくなる）ように表示部３の表示輝度を上げる（ステップＳ７）。表示輝度を上げると表示部３の焼付きが発生し易く（焼付き現象の進行度合いが大きく）なるので、表示文字のエッジを滑らかにする処理により、この部分の焼付き自体も滑らかなエッジとなって目立ちにくくするためである。  なお、周辺が明るいと認識した場合、ステップＳ５〜Ｓ７の処理を行ったが、ステップＳ５の通常の線の太さの書体選択のみでもよい。
【００２０】
以上のステップＳ２〜Ｓ７の処理を繰り返すことにより、周辺照度に応じた文字書体の選択などが行われることになる。
【００２１】
なお、周辺照度に応じたステップＳ３とＳ５の文字書体の選択として、図２（Ｂ）ゴシック体の太字と図２（Ｃ）ゴシック体の普通の線の太さの書体を切り替え選択してもよいし、図２（Ｄ）明朝体の太字と図２（Ｅ）明朝体の普通の線の太さの書体を切り替え選択してもよい。また、図２（Ｂ）ゴシック体の太字と図２（Ｄ）明朝体の太字とを切り替え選択しても、図２（Ｂ）に対して図２（Ｄ）の線は細くなっている。
【００２２】
このように、周辺照度に応じて文字の線の太さを切り替え選択する処理が、暗い時の視認性の向上だけではなく、焼付きが目立ちにくいことを次に説明する。  
図４は、本発明の実施例に係る携帯端末の文字表示と焼付きを説明する図である。グラフの縦軸は表示部３の表示輝度、横軸は表示部３の表示位置を１次元についてのみ示す。
【００２３】
（Ａ）は、周辺照度が暗い時の文字表示であり、白い線の幅が太く表示される。（Ｂ）は、周辺照度が明るい時の文字表示であり、白い線の幅が普通の幅で表示される。（Ｃ）は、経年劣化したときの全白画像を表示したときに得られる表示輝度を測定したものである。
【００２４】
携帯端末の普通の使い方においては、周辺照度の明暗はランダムに両方の状態になると考えられる。したがって、Ｘ１の領域は、周辺照度の明暗に関わらず常時表示されていたために、劣化が比較的最も大きくなる。Ｘ２の領域は、周辺照度が暗いときのみ常時表示されていたために、劣化は中くらいである。Ｘ３の領域は、文字の線の表示から外れた位置であり、劣化が最も小さい。
【００２５】
したがって、（Ｃ）の全白表示状態において、文字の線を表示していたエッジ部分のＸ２の部分がなだらかに劣化し、人間の目には焼付きが目立ちにくくなる。
【００２６】
以上説明したように、本発明の実施例によれば、周辺照度に応じて表示部の視認性の改善を図りつつ、同時に焼付きを目立ちにくくすることができる。
【図面の簡単な説明】
【００２７】
【図１】本発明の実施例に係る携帯端末のブロック図。
【図２】本発明の実施例に係る携帯端末の表示部の画面表示を説明する図。
【図３】本発明の実施例に係る携帯端末の制御部の表示文字制御の動作フローチャート。
【図４】本発明の実施例に係る携帯端末の文字表示と焼付きを説明する図。
【符号の説明】
【００２８】
１  アンテナ
２  無線通信部
３  表示部
３ａ  ソフトキー表示
４  表示制御部
５  照度センサ
６  キー操作部
２０  制御部２０
２１  文字データ格納部
２２  文字エッジ円滑化機能
２３  文字選択機能
１００  携帯端末
【図１】
2009271430.tif 000003
【図２】
2009271430.tif 000004
【図３】
2009271430.tif 000005
【図４】
2009271430.tif 000006